(57)【特許請求の範囲】
【請求項１】
交流電圧を整流する整流回路と、該整流回路に接続されたチョークコイルと、該チョークコイルに接続されたダイオードと、前記整流回路によって整流された電流を前記チョークコイル及び該ダイオードを介して充電するためのコンデンサと、該コンデンサと前記ダイオードとの直列接続回路に対して並列接続され、前記ダイオードを介した前記コンデンサへの電流をオン／オフ制御するためのスイッチング素子と、を備えた電源装置であって、
前記スイッチング素子の導通時間を検出し、該導通時間に基づき前記ダイオード又は前記チョークコイルの短絡を判定する判定部をさらに備えたことを特徴とする電源装置。
【請求項２】
前記判定部は、前記導通時間を所定の閾値と比較し、前記導通時間が該所定の閾値を下回った場合に、前記ダイオード又は前記チョークコイルが短絡したと判定することを特徴とする請求項１に記載の電源装置。
【請求項３】
前記判定部は、前記導通時間を所定の閾値と比較し、前記導通時間が所定回数連続して該所定の閾値を下回った場合に、前記ダイオード又は前記チョークコイルが短絡したと判定することを特徴とする請求項１に記載の電源装置。
【請求項４】
前記判定部で短絡したと判定された場合に前記スイッチング素子をオフにすることを特徴とする請求項１〜３のいずれか１項に記載の電源装置。
【請求項５】
前記判定部で短絡したと判定された場合に前記整流回路への交流電圧を遮断するスイッチを、さらに備えたことを特徴とする請求項１〜４のいずれか１項に記載の電源装置。
【請求項６】
前記判定部で短絡したと判定された場合に前記電源装置に接続される負荷回路への電流を遮断するスイッチを、さらに備えたことを特徴とする請求項１〜５のいずれか１項に記載の電源装置。
【請求項７】
請求項１〜６のいずれか１項に記載の電源装置を備えたテレビ装置。
【請求項８】
請求項１〜６のいずれか１項に記載の電源装置を備えた電子機器。
【発明の詳細な説明】
【技術分野】
【０００１】
本発明は、電源装置、テレビ装置、及び電子機器に関し、より詳細には、スイッチング素子を有する電源装置、その電源装置を備えたテレビ装置、及びその電源装置を備えた電子機器に関する。
【背景技術】
【０００２】
従来から、テレビ装置等の電子機器の電源装置として、スイッチング素子を有する昇圧型のスイッチング電源装置が用いられている。このスイッチング電源装置には、スイッチング素子の他にダイオードが設けられているが、そのダイオードが短絡することで故障した際、電源装置内の回路の動作が停止せず、スイッチング素子の発熱・破壊に至る可能性がある。
【０００３】
その対策として、例えば特許文献１には、ＬＥＤ（Light Emitting Diode）点灯用の低電流源が備わった昇圧回路において、出力の低電流源の電圧値を検出する検出回路を備えることでダイオードの短絡故障を検出する技術が開示されている。
【０００４】
また、昇圧回路の故障に関し、特許文献２には、スイッチング素子の端子電圧を検出してスイッチング素子の固着故障を検出して停止する技術が開示されている。なお、特許文献３には力率改善回路を備えた電源装置が開示されている。
【先行技術文献】
【特許文献】
【０００５】
【特許文献１】特開２００９−２９０９３７号公報
【特許文献２】特開２０１１−１９３５４９号公報
【特許文献３】特開２００７−７４８１３号公報
【発明の概要】
【発明が解決しようとする課題】
【０００６】
しかしながら、特許文献１に記載の技術ではダイオードの短絡故障を検出するための検出回路を追加で設ける必要がある。また、特許文献２に記載の技術は、ダイオードの短絡故障を検出することを目的とするものではない。なお、特許文献３に記載の技術は故障を検出することを目的とするものではない。
【０００７】
さらに、上述したようなスイッチング素子を備えた電源装置には、ダイオードだけでなくチョークコイルも具備されるが、特許文献１，２に記載の技術ではこのチョークコイルの短絡故障を検知できない。
【０００８】
本発明は、上述のような実状に鑑みてなされたものであり、その目的は、スイッチング素子を備えた電源装置において、簡易な構成でダイオードやチョークコイルの短絡故障を検出すること、並びにそのような電源装置を備えたテレビ装置、電子機器を提供することにある。
【課題を解決するための手段】
【０００９】
上記の課題を解決するために、本発明の第１の技術手段は、交流電圧を整流する整流回路と、該整流回路に接続されたチョークコイルと、該チョークコイルに接続されたダイオードと、前記整流回路によって整流された電流を前記チョークコイル及び該ダイオードを介して充電するためのコンデンサと、該コンデンサと前記ダイオードとの直列接続回路に対して並列接続され、前記ダイオードを介した前記コンデンサへの電流をオン／オフ制御するためのスイッチング素子と、を備えた電源装置であって、前記スイッチング素子の導通時間を検出し、該導通時間に基づき前記ダイオード又は前記チョークコイルの短絡を判定する判定部をさらに備えたことを特徴としたものである。
【００１０】
本発明の第２の技術手段は、第１の技術手段において、前記判定部は、前記導通時間を所定の閾値と比較し、前記導通時間が該所定の閾値を下回った場合に、前記ダイオード又は前記チョークコイルが短絡したと判定することを特徴としたものである。
【００１１】
本発明の第３の技術手段は、第１の技術手段において、前記判定部は、前記導通時間を所定の閾値と比較し、前記導通時間が所定回数連続して該所定の閾値を下回った場合に、前記ダイオード又は前記チョークコイルが短絡したと判定することを特徴としたものである。
【００１２】
本発明の第４の技術手段は、第１〜第３のいずれか１の技術手段において、前記判定部で短絡したと判定された場合に前記スイッチング素子をオフにすることを特徴としたものである。
【００１３】
本発明の第５の技術手段は、第１〜第４のいずれか１の技術手段において、前記判定部で短絡したと判定された場合に前記整流回路への交流電圧を遮断するスイッチを、さらに備えたことを特徴としたものである。
【００１４】
本発明の第６の技術手段は、第１〜第５のいずれか１の技術手段において、前記判定部で短絡したと判定された場合に前記電源装置に接続される負荷回路への電流を遮断するスイッチを、さらに備えたことを特徴としたものである。
【００１５】
本発明の第７の技術手段は、第１〜第６のいずれか１の技術手段における電源装置を備えたテレビ装置である。
本発明の第８の技術手段は、第１〜第６のいずれか１の技術手段における電源装置を備えた電子機器である。
【発明の効果】
【００１６】
本発明によれば、スイッチング素子を備えた電源装置において、簡易な構成でダイオードやチョークコイルの短絡故障を検出することができる。また、本発明によれば、そのような電源装置を備えたテレビ装置や電子機器を提供することができる。
【図面の簡単な説明】
【００１７】
【図１】本発明の第１の実施形態に係る電源装置の一構成例を示す回路図である。
【図２Ａ】図１の電源装置におけるチョークコイルにかかる正常時の電圧波形の例を示す図である。
【図２Ｂ】図１の電源装置におけるスイッチング素子に流れ込む正常時の電流波形の例を示す図である。
【図２Ｃ】図１の電源装置におけるスイッチング素子に対する正常時の制御電圧波形の例を示す図である。
【図３Ａ】図１の電源装置におけるチョークコイルにかかる異常時の電圧波形の例を示す図である。
【図３Ｂ】図１の電源装置におけるスイッチング素子に流れ込む異常時の電流波形の例を示す図である。
【図３Ｃ】図１の電源装置におけるスイッチング素子に対する異常時の制御電圧波形の例を示す図である。
【図４】本発明の第１の実施形態に係る電源装置の他の構成例を示す回路図である。
【図５】本発明の第１の実施形態に係る電源装置の他の構成例を示す回路図である。
【図６】本発明に関連する第２の実施形態に係る電源装置の一構成例を示す回路図である。
【図７Ａ】図６の電源装置におけるスイッチング素子に流れ込む正常時の電流波形の例を示す図である。
【図７Ｂ】図６の電源装置におけるスイッチング素子に流れ込む異常時の電流波形の例を示す図である。
【発明を実施するための形態】
【００１８】
以下、本発明に係る電源装置の様々な実施形態について、図面を参照しながら説明する。この電源装置は、具備されたダイオードやチョークコイルの短絡を判定する点に特徴を有するものであり、テレビ装置、レコーダ機器など様々な電子機器に組み込むことが可能である。
【００１９】
（第１の実施形態）
本発明の第１の実施形態に係る電源装置について、図１〜図３Ｃを参照しながら説明する。図１は、本発明の第１の実施形態に係る電源装置の一構成例を示す回路図である。
【００２０】
図１に示すように、本実施形態に係る電源装置１は、整流回路１１、チョークコイル１２、ダイオード１３、コンデンサ１４、スイッチング素子１５、及びマイコン（マイクロコンピュータ）１７を備え、負荷回路２０に対して電力を供給する装置である。マイコン１７は、電源装置１を制御する制御部の一例であり、ＩＣ（Integrated Circuit）で構成される。
【００２１】
整流回路１１は、交流電源１０に接続され交流電圧を整流する回路であり、図示するように例えば全波整流ダイオードで構成される。交流電源１０としては、例えば１００Ｖ等の商用電源が挙げられる。また、全波整流ダイオードとしては、例えばダイオードブリッジによる全波整流を行うブリッジ形のものが挙げられる。
【００２２】
チョークコイル１２は、整流回路１１に接続された昇圧チョークコイルである。また、チョークコイル１２には、補助コイル１８が差動的に電磁結合されると共に、ダイオード１３が接続されている。補助コイル１８は、チョークコイル１２を流れる電流を検出するためのものである。
【００２３】
コンデンサ１４は、整流回路１１によって整流された電流をチョークコイル１２及びダイオード１３を介して充電するためのコンデンサである。コンデンサ１４の両端が電源装置１の出力端子に相当し、電源装置１の負荷となる負荷回路２０が接続され、負荷回路２０に電力が供給されることになる。
【００２４】
スイッチング素子１５は、コンデンサ１４とダイオード１３との直列接続回路に対して並列接続され、ダイオード１３を介したコンデンサ１４への電流をオン／オフ制御するための素子である。スイッチング素子１５としては、図示するように例えばＦＥＴ（Field effect transistor）が挙げられるが、これに限らず、ＩＧＢＴ（Insulated Gate Bipolar Transistor）などであってもよい。また、スイッチング素子１５には、整流回路１１の負極側との間に直列に抵抗１６が接続されている。
【００２５】
スイッチング素子１５がオンされた場合、チョークコイル１２、スイッチング素子１５、及び抵抗１６のパスが生じ、チョークコイル１２に電流が流れてエネルギーが蓄えられる。一方、スイッチング素子１５がオフされた場合、チョークコイル１２、ダイオード１３、及びコンデンサ１４のパスが生じ、且つチョークコイル１２を流れる電流は急にはゼロにならないため、ダイオード１３を介してコンデンサ１４に電流が注入される。つまり、スイッチング素子１５がオフされた場合、チョークコイル１２に蓄えられたエネルギーがダイオード１３を介してコンデンサ１４に放出され、コンデンサ１４が充電される。このため、コンデンサ１４は交流電源１０で供給される電圧よりも高い電圧で充電される。
【００２６】
チョークコイル１２のエネルギーの放出によって、時間が経過するに連れて、チョークコイル１２を流れる電流が減少してゼロに近づく。チョークコイル１２の電流変化は補助コイル１８に誘起される２次電圧として検出することができる。この例では、マイコン１７が、補助コイル１８の２次電圧を検出することによって、チョークコイル１２の電流がゼロになったことを検出する。
【００２７】
マイコン１７は、チョークコイル１２の電流がゼロになったことを検出した場合、それ以上のコンデンサ１４への充電が無理であるため、スイッチング素子１５をオンにするように制御する。また、予め定めた最低オフ時間が経過していない段階では、チョークコイル１２の電流がゼロとなってもスイッチング素子１５をオンしないように、マイコン１７で制御してもよい。
【００２８】
また、マイコン１７は、整流回路１１からの出力瞬時電圧Ｖｉｎを得て、その出力瞬時電圧に応じて閾値であるピーク電流値Ｉｐｋを変化させると共に、その閾値を超えた電流がスイッチング素子１５に流れた場合に、スイッチング素子１５をオフするように制御している。ここで、スイッチング素子１５を流れる電流は、マイコン１７が抵抗１６の電圧を得ることで測定できる。
【００２９】
このようにして、スイッチング素子１５がオンされた時点からオフされた時点までを示すオン時間（導通時間）が決まる。オン時間ＴｏｎはＬ×Ｉｐｋ／Ｖｉｎで定義できる。ここで、チョークコイル１２の自己インダクタンスをＬ１とした場合、Ｌ＝Ｌ１である。また、Ｖｉｎは整流回路１１からの出力瞬時電圧である。また、マイコン１７がコンデンサ１４の両端の電圧を検出できるように構成しておき、マイコン１７が、この電圧を閾値と比較し、その比較結果をスイッチング素子１５のオン制御及び／又はオフ制御に用いてもよい。
【００３０】
このように、マイコン１７は、整流回路１１の出力瞬時電圧やスイッチング素子１５を流れる電流（抵抗１６の電圧）などに基づいて、スイッチング素子１５のオン時間（導通時間）及びオフ時間を決定し、その決定に従ってスイッチング素子１５を制御することで、入力電流が正弦波状に近づくようにしている。
【００３１】
上述のように、電源装置１は、入力電流がパルス形状となって力率の悪化を招くことを防ぐ力率改善（ＰＦＣ：Power Factor Correction）回路を搭載していると言える。なお、マイコン１７で例示した制御部はＰＦＣ制御が可能であればよく、代わりに例えば特許文献３に記載のようなアナログ回路を付加してもよいし、全てアナログ回路で構成することもできる。
【００３２】
本実施形態に係る電源装置１は、このような構成に加えて、スイッチング素子１５の導通時間を検出し、その導通時間に基づきダイオード１３又はチョークコイル１２の短絡（ショート）を判定する判定部１７ａを備える。この判定部１７ａは、チョークコイル１２の短絡だけでなく補助コイル１８が短絡した際にも検出可能である。
【００３３】
判定部１７ａは、例示したようにマイコン１７に組み込むことができるが、これに限らず、電源装置１に設けられていればよい。判定部１７ａは、マイコン１７に組み込む場合、ファームウェアとして組み込むこともできる。
【００３４】
電源装置１における正常時の動作、異常時の動作について、それぞれ図２Ａ〜図２Ｃ、図３Ａ〜図３Ｃを参照しながら説明する。図２Ａは、図１の電源装置におけるチョークコイルにかかる正常時の電圧波形の例を示す図、図２Ｂは、図１の電源装置におけるスイッチング素子に流れ込む正常時の電流波形の例を示す図、図２Ｃは、図１の電源装置におけるスイッチング素子に対する正常時の制御電圧波形の例を示す図である。図３Ａは、図１の電源装置におけるチョークコイルにかかる異常時の電圧波形の例を示す図、図３Ｂは、図１の電源装置におけるスイッチング素子に流れ込む異常時の電流波形の例を示す図、図３Ｃは、図１の電源装置におけるスイッチング素子に対する異常時の制御電圧波形の例を示す図である。
【００３５】
整流回路１１からチョークコイル１２へは図２Ａで例示するような電圧Ｖｉｎが入力される。正常時には、この電圧Ｖｉｎに対し、スイッチング素子１５に流れ込む電流Ｉｄは図２Ｂに示すようになる。その結果、マイコン１７からスイッチング素子１５への制御電圧Ｖｇは図２Ｃに示すようになる。
【００３６】
この正常時の制御電圧Ｖｇによるスイッチング素子１５の導通時間（オン時間）はＴｏｎ＝Ｌ×Ｉｐｋ／Ｖｉｎとなる。なお、図２Ｃだけでなく、図２ＢでもこのＴｏｎに対応する時間を図示している。上述したようにピーク電流値Ｉｐｋは、ＰＦＣ回路では図２Ｂで示すように変化していく値であり、整流回路１１からの出力瞬時電圧に応じて変化するようにマイコン１７が制御している。
【００３７】
異常時（短絡時）には、図３Ａで例示するような電圧Ｖｉｎ（図２Ａの電圧Ｖｉｎと同じ）に対し、スイッチング素子１５に流れ込む電流Ｉｄは図３Ｂに示すようになる。その結果、マイコン１７からスイッチング素子１５への制御電圧Ｖｇは図３Ｃに示すようになる。
【００３８】
具体的に説明すると、まず、ダイオード１３が短絡した場合にはコンデンサ１４からの電流により電流Ｉｄが大きくなり、補助コイル１８又はチョークコイル１２が短絡した場合にはＬ＝０となる。よって、いずれの異常時においてもスイッチング素子１５がオンした瞬間に、電流Ｉｄとして大電流が流れ、瞬時にピーク電流値Ｉｐｋを越えてしまうため、マイコン１７が瞬時にスイッチング素子１５をオフすることになる。つまり、異常時の制御電圧Ｖｇによるスイッチング素子１５のオン時間は、Ｔｏｎ＜Ｌ×Ｉｐｋ／Ｖｉｎとなり、実際には図３Ｃで示したように非常に短くなる。なお、図３Ｃだけでなく、図３ＢでもこのＴｏｎに対応する時間を図示している。
【００３９】
このように、異常時は正常時と異なり、オン時間（導通時間）Ｔｏｎが短くなる。よって、本実施形態では、判定部１７ａは、上記導通時間を所定の閾値（Ｌ×Ｉｐｋ／Ｖｉｎや、余裕を見てそれより小さい値、例えば１／２倍の値）と比較し、所定の閾値を下回った場合に、ダイオード１３、チョークコイル１２、補助コイル１８のいずれかが短絡したと判定するようにすればよい。
【００４０】
以上のように、本実施形態では、スイッチング素子のオン時間（導通時間）、つまりＯＮ−Ｄｕｔｙを監視して短絡を検出しているため、簡易な構成でダイオードやチョークコイルの短絡故障を検出することができるようになる。
【００４１】
また、判定部１７ａは、上記導通時間を所定の閾値と比較し、上記導通時間が所定回数連続してその所定の閾値を下回った場合に、ダイオード１３、チョークコイル１２、補助コイル１８のいずれかが短絡したと判定するようにしてもよい。これにより、より確実に短絡を判定することができるようになる。なお、上記所定回数は適宜２以上の値に決めておけばよい。
【００４２】
また、電源装置１は、判定部１７ａで短絡したと判定された場合にスイッチング素子１５をオフにすること、つまり、それ以降のオン／オフ制御を停止させることが好ましい。そのため、電源装置１はこのようなオフの指示を行う停止指示部をさらに備えることが好ましい。この停止指示部は、マイコン１７に設けておけばよい。これにより、短絡時にスイッチング素子１５の動作を、スイッチング素子１５がオフの状態で停止させ、ＰＦＣ制御を停止させることができる。
【００４３】
図４は、本実施形態に係る電源装置の他の構成例を示す回路図である。図４で示す本構成例における電源装置１ａは、電源装置１において、スイッチ１０ａをさらに備えたものである。スイッチ１０ａは、判定部１７ａで短絡したと判定された場合に整流回路１１への交流電圧を遮断するスイッチであり、マイコン１７からの制御により遮断を行えばよい。これにより、短絡時に整流回路１１への電流を遮断することができる。また、スイッチ１０ａは上記停止指示部と併設するようにしてもよい。
【００４４】
図５は、本実施形態に係る電源装置の他の構成例を示す回路図である。図５で示す本構成例における電源装置１ｂは、電源装置１において、スイッチ２０ａをさらに備えたものである。スイッチ２０ａは、判定部１７ａで短絡したと判定された場合に電源装置１ｂに接続される負荷回路２０への電流を遮断するスイッチであり、マイコン１７からの制御により遮断を行えばよい。これにより、短絡時に負荷回路２０への電流を遮断することができる。また、スイッチ２０ａはスイッチ１０ａと併設するようにしてもよいし、上記停止指示部も併せて設けてもよい。
【００４５】
次に、上述したような電源装置１，１ａ，１ｂを備えたテレビ装置やその他の電子機器について簡単に説明する。ここでは、テレビ装置の一構成例について説明する。テレビ装置は、表示部、スピーカ部、チューナ部等を備え、チューナ部で受信した放送信号のうち、映像信号が示す映像をその表示部に表示させ、音声信号が示す音声をスピーカ部から出力するように構成されている。なお、表示部は、液晶パネルのように非自発光型の表示パネルを有する場合、バックライト装置も有することになる。そして、このテレビ装置には、上述した図１の電源装置１，１ａ，１ｂなどを備え、負荷回路２０として表示部、スピーカ部、チューナ部などの電源供給が必要な部位が接続されている。
【００４６】
（第２の実施形態）
上述した第１の実施形態における短絡故障検出方法は、整流回路１１が不要な直流電源の電源装置に適用することができる。このような電源装置について、第２の実施形態として説明する。図６は、本発明に関連する第２の実施形態に係る電源装置の一構成例を示す回路図である。
【００４７】
本実施形態に係る電源装置６は、ＰＦＣを備えない昇圧回路（昇圧型のスイッチング電源装置）であって、直流電源６１を備えると共に、チョークコイル６２、ダイオード６３、コンデンサ６４、スイッチング素子６５、抵抗６６、判定部６７ａを有するマイコン６７、及び補助コイル６８を備える。
【００４８】
なお、ダイオード６３、コンデンサ６４、スイッチング素子６５、抵抗６６、及び補助コイル６８は、それぞれ電源装置１におけるダイオード１３、コンデンサ１４、スイッチング素子１５、抵抗１６、及び補助コイル１８に対応するものであり、その詳細な説明を省略する。また、負荷回路７０は図１の負荷回路２０に対応するものである。
【００４９】
チョークコイル６２は、直流電源６１に接続されている以外は、基本的に図１の電源装置１におけるチョークコイル１２と同様であり、その詳細な説明を省略する。また、マイコン６７は電源装置１のマイコン１７と比べてＰＦＣ制御を行っておらず、ピーク電流値Ｉｐｋが一定である点でその制御内容が異なる。
【００５０】
マイコン６７では、第１の実施形態と同様に補助コイル６８の出力電圧を検出してそれがゼロになった場合にスイッチング素子６５をオンさせてもよいが、それに限ったものではない。例えば、マイコン６７は、一定の間隔でスイッチング素子６５をオンさせるなど、任意の方法でスイッチング素子６５の制御タイミングを決めておけばよい。その場合、電源装置６は補助コイル６８を設ける必要はない。また、マイコン６７は、コンデンサ６４の両端の電圧を検出可能に構成しておき、この電圧を閾値と比較して、スイッチング素子６５のオン制御及び／又はオフ制御に用いてもよい。
【００５１】
本実施形態に係る電源装置６では、その主たる特徴として判定部６７ａを有するが、この判定部６７ａは、判定部１７ａと同様に、スイッチング素子６５の導通時間を検出し、その導通時間に基づきダイオード６３、チョークコイル６２、補助コイル６８のいずれかの短絡を判定するものである。
【００５２】
電源装置６における正常時の動作、異常時の動作について、それぞれ図７Ａ、図７Ｂを参照しながら説明する。図７Ａは、図６の電源装置におけるスイッチング素子に流れ込む正常時の電流波形の例を示す図で、図７Ｂは、図６の電源装置におけるスイッチング素子に流れ込む異常時の電流波形の例を示す図である。
【００５３】
直流電源６１からチョークコイル６２へは直流電圧が入力され、この電圧に対してスイッチング素子６５に流れ込む電流Ｉｄは、正常時には図７Ａに示すようになる。正常時のスイッチング素子６５の導通時間（オン時間）はＴｏｎ＝Ｌ×Ｉｐｋ／Ｖｉｎとなる。このＴｏｎは、図７Ａに示すＴｏｎに対応する時間である。なお、本実施形態ではＰＦＣ回路を有しないため、Ｉｐｋは一定のピーク電流値であり、図７Ａや図７Ｂの波形の高さに対応する値である。また、本実施形態におけるＬは、補助コイル６８を具備しない場合にはチョークコイル６２の自己インダクタンスＬ１となる。
【００５４】
一方で、異常時（短絡時）には、スイッチング素子６５に流れ込む電流Ｉｄは図７Ｂに示すようになる。異常時のスイッチング素子６５の導通時間は図７Ｂにその対応する時間Ｔｏｎを示すように、Ｔｏｎ＜Ｌ×Ｉｐｋ／Ｖｉｎとなる。
【００５５】
このように、異常時は正常時と異なり、オン時間（導通時間）Ｔｏｎが短くなる。よって、本実施形態でも、判定部６７ａは、上記導通時間を所定の閾値（Ｌ×Ｉｐｋ／Ｖｉｎや、余裕を見てそれより小さい値、例えば１／２倍の値）と比較し、所定の閾値を下回った場合に、ダイオード６３、チョークコイル６２、補助コイル６８のいずれかが短絡したと判定するようにすればよい。
【００５６】
以上のように、本実施形態では、スイッチング素子のオン時間（導通時間）を検出して短絡を判定しているため、簡易な構成でダイオードやチョークコイルの短絡故障を検出することができるようになる。
【００５７】
また、本実施形態においても判定部６７ａは、上記導通時間を所定の閾値と比較し、上記導通時間が所定回数連続してその所定の閾値を下回った場合に、ダイオード６３、チョークコイル６２、補助コイル６８のいずれかが短絡したと判定するようにしてもよい。
【００５８】
このように、本実施形態においても、簡易な構成でダイオードやチョークコイルの短絡故障を検出することができるようになる。また、本実施形態においても、第１の実施形態で説明したような停止指示部、電圧遮断用のスイッチ（但し、第１の実施形態では交流電圧遮断用であるのに対し、本実施形態では直流電圧遮断用となる）、負荷回路遮断用のスイッチのいずれか１又は複数を適用することができる。また、本実施形態に係る電源装置も第１の実施形態と同様に、テレビ装置やその他の電子機器に搭載することができる。
【００５９】
（第１、第２の実施形態について）
以上説明したように、本発明の第１の実施形態に係る電源装置は、交流電圧を整流する整流回路と、上記整流回路に接続されたチョークコイルと、上記チョークコイルに接続されたダイオードと、上記整流回路によって整流された電流を上記チョークコイル及び上記ダイオードを介して充電するためのコンデンサと、上記コンデンサと上記ダイオードとの直列接続回路に対して並列接続され、上記ダイオードを介した上記コンデンサへの電流をオン／オフ制御するためのスイッチング素子と、を備えた電源装置であって、上記スイッチング素子の導通時間を検出し、上記導通時間に基づき上記ダイオード又は上記チョークコイルの短絡を判定する判定部をさらに備えたことを特徴としたものである。これにより、簡易な構成でダイオードやチョークコイルの短絡故障を検出することができるようになる。
【００６０】
また、上記判定部は、上記導通時間を所定の閾値と比較し、上記導通時間が上記所定の閾値を下回った場合に、上記ダイオード又は上記チョークコイルが短絡したと判定することが好ましい。これにより、確実に短絡を判定することができるようになる。
【００６１】
また、上記判定部は、上記導通時間を所定の閾値と比較し、上記導通時間が所定回数連続して上記所定の閾値を下回った場合に、上記ダイオード又は上記チョークコイルが短絡したと判定することが好ましい。これにより、より確実に短絡を判定することができるようになる。
【００６２】
また、第１の実施形態に係る電源装置は、上記判定部で短絡したと判定された場合に上記スイッチング素子をオフにすることが好ましい。これにより、短絡時にスイッチング素子の動作を停止させることができる。
【００６３】
また、第１の実施形態に係る電源装置は、上記判定部で短絡したと判定された場合に上記整流回路への交流電圧を遮断するスイッチを、さらに備えることが好ましい。これにより、短絡時に整流回路への電流を遮断することができる。
【００６４】
また、第１の実施形態に係る電源装置は、上記判定部で短絡したと判定された場合に上記電源装置に接続される負荷回路への電流を遮断するスイッチを、さらに備えることが好ましい。これにより、短絡時に負荷回路への電流を遮断することができる。
【００６５】
また、第１の実施形態における短絡故障検出方法は第２の実施形態として説明したように、直流電源の電源装置にも適用できる。
本発明に関連する第２の実施形態に係る電源装置は、直流電源に接続されたチョークコイルと、上記チョークコイルに接続されたダイオードと、上記直流電源からの電流を上記チョークコイル及び上記ダイオードを介して充電するためのコンデンサと、上記コンデンサと上記ダイオードとの直列接続回路に対して並列接続され、上記ダイオードを介した上記コンデンサへの電流をオン／オフ制御するためのスイッチング素子と、を備えた電源装置であって、上記スイッチング素子の導通時間を検出し、上記導通時間に基づき上記ダイオード又は上記チョークコイルの短絡を判定する判定部をさらに備えたことを特徴としたものである。これにより、簡易な構成でダイオードやチョークコイルの短絡故障を検出することができるようになる。
【００６６】
また、上述したような様々な実施形態に係る電源装置を備えたテレビ装置や電子機器を提供することもできる。
【符号の説明】
【００６７】
１，１ａ，１ｂ，６…電源装置、１０…交流電源、１０ａ…スイッチ、１１…整流回路、１２，６２…チョークコイル、１３，６３…ダイオード、１４，６４…コンデンサ、１５，６５…スイッチング素子、１６，６６…抵抗、１７，６７…マイコン、１７ａ，６７ａ…判定部、１８，６８…補助コイル、２０，７０…負荷回路、２０ａ…スイッチ、６１…直流電源。
【図１】
0006318424.tif 000002
【図２Ａ】
0006318424.tif 000003
【図２Ｂ】
0006318424.tif 000004
【図２Ｃ】
0006318424.tif 000005
【図３Ａ】
0006318424.tif 000006
【図３Ｂ】
0006318424.tif 000007
【図３Ｃ】
0006318424.tif 000008
【図４】
0006318424.tif 000009
【図５】
0006318424.tif 000010
【図６】
0006318424.tif 000011
【図７Ａ】
0006318424.tif 000012
【図７Ｂ】
0006318424.tif 000013